(57)【要約】【課題】本発明は、携帯用収納体の盗難防止を図ることができる携帯用収納体を提供することを目的としている。【解決手段】携帯用収納体１は、開口部１１を有し、内部に被収納物２を収納する収納部１３を備えた収納体１０と、この収納体１０の開口部１１を開閉する蓋１４と、開口部１１を閉じた蓋１４が開かないように、蓋１４と収納体１０を連結する連結手段３とを備え、被収納物３は重量物２１と貴重品２２であり、収納部１３は重量物２１と貴重品２２を収納するものである。【選択図】図２
2004129706.tif 000002
【特許請求の範囲】
【請求項１】
開口部を有し、内部に被収納物を収納する収納部を備えた収納体と、
この収納体の前記開口部を開閉する蓋と、
前記開口部を閉じた前記蓋が開かないように、前記蓋と前記収納体を連結する連結手段とを備え、
前記被収納物は重量物と貴重品であり、前記収納部は前記重量物と前記貴重品を収納する
ことを特徴とする携帯用収納体。
【請求項２】
収納体の下部に設けられた複数の脚部と、蓋の上面をテ−ブル面とすることを特徴とする請求項１記載の携帯用収納体。
【請求項３】
蓋にパラソルの支柱を貫通するための開口部を設けている
ことを特徴とする請求項１記載の携帯用収納体。
【請求項４】
蓋と収納体にパラソルの支柱を貫通するための開口部を設け、
前記蓋の開口部と前記収納体の開口部とは対向している
ことを特徴とする請求項１記載の携帯用収納体。
【請求項５】
開口部を有し、内部に被収納物を収納する収納部を備えた収納体と、
この収納体の前記開口部を開閉する蓋と、
前記開口部を閉じた前記蓋が開かないように、前記蓋と前記収納体を連結する連結手段とを備え、
前記開口部を介して前記収納部へ重量物と貴重品を収納し、前記蓋により前記開口部を閉じ、その後、前記連結手段により前記蓋と前記収納体を連結して前記重量物により前記収納体の重量を増加させて前記収納体を持ち運びにくくさせる
ことを特徴とする携帯用収納体の盗難防止方法。
【発明の詳細な説明】
【０００１】
本発明は、携帯用収納体及び携帯用収納体の盗難防止方法に係り、特に、携帯用収納体の盗難防止を図ることができる携帯用収納体及び携帯用収納体の盗難防止方法に関する。
【０００２】
【従来の技術と発明が解決しようとする課題】
海水浴等のアウトドアで過ごす場合、貴重品、例えば、お金、免許書を保管する場所がない場合、携帯に便利なものとして、防水の貴重品携帯用ポ−チがある（例えば、特許文献１参照。）。
【特許文献１】
特開平８−１００２２号公報
【０００３】
しかしながら、携帯する場合、邪魔になり支障を生じる場合がある。
本発明は、上述した問題点を除去するようにした携帯用収納体及び携帯用収納体の盗難防止方法を提供するものである。
【０００４】
【課題を解決するための手段】
上記目的を達成するために、請求項１記載の携帯用収納体は、開口部を有し、内部に被収納物を収納する収納部を備えた収納体と、この収納体の前記開口部を開閉する蓋と、前記開口部を閉じた前記蓋が開かないように、前記蓋と前記収納体を連結する連結手段とを備え、前記被収納物は重量物と貴重品であり、前記収納部は前記重量物と前記貴重品を収納するものである。
【０００５】
また、請求項２記載の携帯用収納体は、請求項１記載の携帯用収納体において、収納体の下部に設けられた複数の脚部と、蓋の上面をテ−ブル面とするものである。
【０００６】
また、請求項３記載の携帯用収納体は、請求項１記載の携帯用収納体において、蓋にパラソルの支柱を貫通するための開口部を設けているものである。
【０００７】
また、請求項４記載の携帯用収納体は、請求項１記載の携帯用収納体において、蓋と収納体にパラソルの支柱を貫通するための開口部を設け、前記蓋の開口部と前記収納体の開口部とは対向しているものである。
【０００８】
また、請求項５記載の携帯用収納体の盗難防止方法は、開口部を有し、内部に被収納物を収納する収納部を備えた収納体と、この収納体の前記開口部を開閉する蓋と、前記開口部を閉じた前記蓋が開かないように、前記蓋と前記収納体を連結する連結手段とを備え、前記開口部を介して前記収納部へ重量物と貴重品を収納し、前記蓋により前記開口部を閉じ、その後、前記連結手段により前記蓋と前記収納体を連結して前記重量物により前記収納体の重量を増加させて前記収納体を持ち運びにくくさせるものである。
【０００９】
【実施例】
本発明の一実施例の携帯用収納体及び携帯用収納体の盗難防止方法を図面を参照して説明する。
（実施例１）
図１において、１は携帯用収納体で、携帯用収納体１は、開口部１１を有し、内部に被収納物２を収納する収納部１３を備えた収納体１０を備えている。
この収納体１０の開口部１１は、蓋１４により開閉するようになっている。３は、開口部１１を閉じた蓋１４が開かないように、蓋１４と収納体１０を連結する連結手段で、連結手段３は、具体的には、錠である（図１及び図２参照）。
【００１０】
上述の被収納物２は重量物２１と貴重品２２であり、重量物は、例えば、海辺であれば、砂、海水、石等である。貴重品は、例えば、免許証、財布、キー等である。重量物は、貴重品に比較し、重いものである。
【００１１】
従って、例えば、携帯用収納体１を空の状態、又は、必要なもの（例えば、食料、衣料等）を収納して海辺の砂浜まで運び、貴重品２２を収納する場合、図１及び図２に示すように、開口部１１を介して収納部１３へ重量物２１（重量物２１は、例えば、海辺であれば、砂であり、スコップＳ’で重量物２１を例えば、約１０Ｋｇ〜約２０Ｋｇ程度入れる。）と貴重品２２を収納し、蓋１４により開口部１１を閉じ、その後、連結手段３により蓋１４が開かないように蓋１４と収納体１０を連結して重量物２１により収納体１０の重量を増加させて収納体１０を持ち運びにくくする。その結果、携帯用収納体１の盗難防止を図ることができる。
なお、望ましくは、被収納物２の内、重量物２１と貴重品２２を区画して、貴重品棚４を設ける。その際、貴重品棚４を係止するように、収納体１０の内部に係止部１０ａを設けるようにすると良い。
また、貴重品棚４の代わりに、貴重品２２を収納する貴重品収納部（図示せず）を蓋１４の裏面側に設けることもできる。
そして、貴重品２２を収納部１３より取り出す場合、連結手段３（例えば、錠）を鍵（図示せず）により解除し、蓋１４を開けて取り出すことができる。
【００１２】
（実施例２）
図３は、重量物２１を海水とした場合である。なお、図３においては、図１及び図２に示す部分と同一部分に同一符号を付してその説明を省略している。
【００１３】
（実施例３）
図４及び図５に示すものは、携帯用収納体１にテ−ブルの機能を持たせたもので、収納体１０の下部に複数の脚部５を設けると共に、蓋１４の上面をテ−ブル面とし、望ましくは、脚部５及び補助テ−ブル６を図示するように、蝶番等を使用して折曲自在とし、脚部５を立脚させると共に、補助テ−ブル６を外方に開いて、テ−ブル面を拡張するようにする。なお、少なくとも、蓋１４の上面をテ−ブル面として利用するようにする。
また、図４及び図５においては、図１及び図２に示す部分と同一部分に同一符号を付してその説明を一部省略している。
【００１４】
（実施例４）
図６に示すものは、携帯用収納体１にパラソルＰを介在させたもので、蓋４にパラソルＰの支柱Ｐ１を貫通するための開口部１４Ａを設けている。
なお、望ましくは、図７に示すように、蓋１４と収納体１０にパラソルＰの支柱Ｐ１を貫通するための開口部１４Ａ、１０Ａを設けるようにする。蓋１４の開口部１４Ａと収納体１０の開口部１０Ａとは対向するように設けられている。
また、望ましくは、貴重品棚４にもパラソルＰの支柱Ｐ１を貫通するための開口部４Ａが設けられている。貴重品棚４の開口部４Ａ、蓋１４の開口部１４Ａ、収納体１０の開口部１０Ａは対向するように設けられ、設置面Ｓに向かって、逐次、蓋１４の開口部１４Ａ、貴重品棚４の開口部４Ａ、収納体１０の開口部１０Ａの順に位置している。
また、携帯用収納体１は、安定を図るために、携帯用収納体１の下部面を携帯用収納体１の上部面より大きくし、より具体的には、断面形状が略台形形状となっている。また、パラソルＰの支柱Ｐ１を収納体１０内に立設する際、支柱Ｐ１を図示しない金具により蓋１４と一体化しても良い。
【００１５】
図６記載の携帯用収納体１によれば、蓋１４にパラソルＰの支柱Ｐ１を貫通するための開口部１４Ａを設けているため、パラソルＰ立ての兼用となると共に、重量物２１により収納体１０の重量を増加させて収納体１０を持ち運びにくくし、又、携帯用収納体１にパラソルＰを付設させるため、携帯用収納体１の盗難防止をより図ることができる。
【００１６】
また、図７記載の携帯用収納体１によれば、蓋１４と収納体１０にパラソルＰの支柱Ｐ１を貫通するための開口部１４Ａ、１０Ａを設け、蓋１４の開口部１４Ａと収納体１０の開口部１０Ａとは対向しているため、パラソルＰ立ての兼用となると共に、重量物２１により収納体１０の重量を増加させて収納体１０を持ち運びにくくし、又、携帯用収納体１にパラソルＰを介在させるため、携帯用収納体１の盗難防止をより図ることができ、しかも、パラソルＰを安定的に支持することができる。
なお、図６及び図７においては、図１及び図２に示す部分と同一部分に同一符号を付してその説明を一部省略している。
【００１７】
上述した実施例１〜実施例４の何れの場合においても、開口部１１を介して収納部１０へ重量物２１（重量物２１は、例えば、海辺であれば、砂、海水、石等である。）と貴重品２２を収納し、蓋１４により開口部１１を閉じ、その後、蓋１４が開かないように、連結手段３により蓋１４と収納体１０を連結して重量物２１により収納体１０の重量を増加させて携帯用収納体１の盗難防止方法により、収納体１０を持ち運びにくくして、携帯用収納体１の盗難防止を図るようにしている。
【００１８】
【発明の効果】
請求項１記載の携帯用収納体によれば、開口部を介して収納部へ重量物（重量物は、例えば、海辺であれば、砂、海水、石等である。）と貴重品を収納し、蓋により前記開口部を閉じ、その後、連結手段により前記蓋と前記収納体を連結して前記重量物により前記収納体の重量を増加させて前記収納体を持ち運びにくくして、携帯用収納体の盗難防止を図ることができる。
【００１９】
また、請求項２記載の携帯用収納体によれば、上述した請求項１記載の発明の効果に加え、収納体の下部に設けられた複数の脚部と、蓋の上面をテ−ブル面とするため、携帯用収納体にテ−ブルの機能を持たせることができる。
【００２０】
また、請求項３記載の携帯用収納体によれば、上述した請求項１記載の発明の効果に加え、蓋にパラソルの支柱を貫通するための開口部を設けているため、パラソル立ての兼用となると共に、重量物により収納体の重量を増加させて収納体を持ち運びにくくし、又、携帯用収納体にパラソルを付設させるため、携帯用収納体の盗難防止をより図ることができる。
【００２１】
また、請求項４記載の携帯用収納体によれば、上述した請求項１記載の発明の効果に加え、蓋と収納体にパラソルの支柱を貫通するための開口部を設け、前記蓋の開口部と前記収納体の開口部とは対向しているため、パラソル立ての兼用となると共に、重量物により収納体の重量を増加させて収納体をより持ち運びにくくし、また、携帯用収納体にパラソルを介在させるため、携帯用収納体の盗難防止をより図ることができ、しかも、パラソルを安定的に支持することができる。
【００２２】
また、請求項５記載の携帯用収納体の盗難防止方法によれば、開口部を介して収納部へ重量物（重量物は、例えば、海辺であれば、砂、海水、石等である。）と貴重品を収納し、蓋により前記開口部を閉じ、その後、連結手段により前記蓋と前記収納体を連結して前記重量物により前記収納体の重量を増加させて前記収納体を持ち運びにくくして、携帯用収納体の盗難防止を図ることができる。
【図面の簡単な説明】
【図１】図１は、本発明の一実施例の携帯用収納体に重量物を収納している状態の概略的断面図である。
【図２】図２は、図１の携帯用収納体に貴重品を収納した状態の概略的断面図である。
【図３】図３は、図２と異なる重量物を使用した状態の概略的断面図である。
【図４】図４は、図２と異なる携帯用収納体の概略的断面図である。
【図５】図５は、図４の携帯用収納体の使用状態の概略的断面図である。
【図６】図６は、図５と異なる携帯用収納体の使用状態の概略的断面図である。
【図７】図７は、図６と異なる携帯用収納体の使用状態の概略的断面図である。
【符号の説明】
１　・・・・・携帯用収納体
２　・・・・・被収納物
３　・・・・・連結手段
１０　・・・・・収納体
１１　・・・・・開口部
１３　・・・・・収納部
１４　・・・・・蓋
２１　・・・・・重量物
２２　・・・・・貴重品
【図１】
2004129706.tif 000003
【図２】
2004129706.tif 000004
【図３】
2004129706.tif 000005
【図４】
2004129706.tif 000006
【図５】
2004129706.tif 000007
【図６】
2004129706.tif 000008
【図７】
2004129706.tif 000009